(57)【特許請求の範囲】
【請求項１】
天井の開口部に設置される空気調和機本体と、前記空気調和機本体の下部に設けられた取付金具と、前記空気調和機本体に前記取付金具を介して前記開口部を覆うように装着される化粧パネルと、を備えた天井埋込型空気調和機であって、
前記取付金具の下面に、この下面が前記天井の下面と同一高さにすべき面であることを表示する表示部を設け、
前記表示部は、前記取付金具に貼り付けられた印刷シールであり、
前記取付金具は、前記化粧パネルが取り付けられる面方向に突起を有し、前記印刷シールは、前記取付金具の前記突起に対応する部位に延長部が設けられ、該延長部が前記取付金具の一方の面側から前記突起を覆って他方の面側に折り返されていることを特徴とする天井埋込型空気調和機。
【請求項２】
前記印刷シールは、前記延長部に折り目がつけられていることを特徴とする請求項１記載の天井埋込型空気調和機。
【発明の詳細な説明】
【技術分野】
【０００１】
本発明は、据付作業を容易に行うことのできる天井埋込型空気調和機に関するものである。
【背景技術】
【０００２】
一般に天井埋込型空気調和機は、空気調和機本体の相対する両側面に、梁に埋設された吊りボルトを通すための長穴を設けた吊り金具が配設されている。そして、吊り金具には、吊りボルトが挿入され、この吊りボルトには、空気調和機本体がスパナなどの工具を使ってナットと座金で固定される。更に、空気調和機本体の下部の四隅には、化粧パネルを取り付けるためのねじ穴を有する取付金具が設けられている。取付金具は、空気調和機本体の据付時に、その位置を、据付工事説明書の記載に従って天井下面と面一となるように調整される。その後、取付金具には、化粧パネルがねじで固定され、空気調和機本体の下面が化粧パネルで覆われる（例えば、特許文献１参照）。
【先行技術文献】
【特許文献】
【０００３】
【特許文献１】特開２００７−２９２４１１号公報（図１及び図２）
【発明の概要】
【発明が解決しようとする課題】
【０００４】
このように、天井埋込型空気調和機は、空気調和機本体に化粧パネルを取り付ける際、取付金具が天井下面と面一となるように空気調和機本体の吊り位置を調整する必要がある。そのため、従来は据付工事説明書にその注意書きを記載している。しかし、実際に据え付ける場合には、その注意書きが伝わり難く（手元に据付工事説明書が無い等）、どうしても空気調和機本体が天井面よりも高く吊られてしまう傾向にある。空気調和機本体が天井面よりも高く吊られてしまった場合は、化粧パネルがうまく取り付けできず、更に天井下面に化粧パネルの周縁部の背面が押される結果を招き、化粧パネルに反りが発生する。
【０００５】
また、取付金具の型構造として生産性の高い順送型を採用した場合は、成型される部品相互がブリッジ部でつながれ、このブリッジ部が最終工程で切断されるため、部品相互の個々への切り離し部分が化粧パネルが取り付けられる面と直角な面方向に突起となって残存し（以下、これを「ブリッジ痕」という）、このブリッジ痕がエッジとなる。そのため、ブリッジ痕にわざわざ保護テープを貼り、組立作業者や据付作業者に対する安全を確保する必要があった。
【０００６】
本発明は、前記のような課題の少なくとも１つを解決するためになされたもので、据付作業者に、空気調和機本体の吊り高さの正否を常に確認させることができて、据付作業の効率を向上させることができるようにすることを主目的としている。
【課題を解決するための手段】
【０００７】
本発明に係る天井埋込型空気調和機は、天井の開口部に設置される空気調和機本体と、空気調和機本体の下部に設けられた取付金具と、空気調和機本体に取付金具を介して開口部を覆うように装着される化粧パネルと、を備えた天井埋込型空気調和機であって、取付金具の下面に、この下面が天井の下面と同一高さにすべき面であることを表示する表示部を設け、表示部は、取付金具に貼り付けられた印刷シールであり、取付金具は、化粧パネルが取り付けられる面方向に突起を有し、印刷シールは、取付金具の突起に対応する部位に延長部が設けられ、延長部が取付金具の一方の面側から突起を覆って他方の面側に折り返されているものである。
【発明の効果】
【０００８】
本発明の天井埋込型空気調和機は、取付金具の下面に、この下面が天井の下面と同一高さにすべき面であることを表示する表示部を設けているので、据付作業者に、空気調和機本体の吊り高さの正否について、常に注意を喚起し、確認させることができる。このため、据付作業の効率が向上し、常に安定した据付作業やメンテナンス作業ができる。
【図面の簡単な説明】
【０００９】
【図１】本発明の実施の形態１に係る天井埋込型空気調和機の分解斜視図である。
【図２】本発明の実施の形態１に係る天井埋込型空気調和機の要部の拡大斜視図である。
【図３】本発明の実施の形態１に係る天井埋込型空気調和機の取付金具の下面図である。
【図４】本発明の実施の形態２に係る天井埋込型空気調和機の要部の拡大斜視図である。
【図５】本発明の実施の形態２に係る天井埋込型空気調和機の取付金具の下面図である。
【図６】本発明の実施の形態３に係る天井埋込型空気調和機の順送型により打ち抜かれた取付金具の展開図である。
【図７】本発明の実施の形態３に係る天井埋込型空気調和機の要部の拡大斜視図である。
【図８】本発明の実施の形態３に係る天井埋込型空気調和機の取付金具の下面図である。
【発明を実施するための形態】
【００１０】
実施の形態１．
図１は本発明の実施の形態１に係る天井埋込型空気調和機の分解斜視図である。図２は本発明の実施の形態１に係る天井埋込型空気調和機の要部の拡大斜視図である。図３は本発明の実施の形態１に係る天井埋込型空気調和機の取付金具の下面図である。
本実施の形態１の天井埋込型空気調和機１００は、図１に示すように、空気調和機本体１が天井１２の開口部１２ａに設置される。そのため、空気調和機本体１の相対する両側面には、それぞれ吊り金具５が連結され固定されている。吊り金具５には、梁に埋設された吊りボルト２を通すための長穴３と、吊りボルト着脱用の切り欠き４とが設けられている。切り欠き４は、吊り金具５の一辺から長穴３の一端側にかけて連通するように形成されており、吊りボルト２が、切り欠き４を通して長穴３に挿入されるようになっている。吊りボルト２には、吊り金具５を挟む上下にそれぞれナット６と座金７が挿入されており、吊り金具５は、吊りボルト２にスパナなどの工具を使って上下のナット６と座金７で挟み付けられ、固定される。これによって、空気調和機本体１は、取り付け高さ位置が調整され、規定される。
【００１１】
また、空気調和機本体１の下部の四隅には、図１〜図３に示すように、化粧パネル８を取り付けるねじ穴９を有する取付金具１０が設けられており、化粧パネル８が各取付金具１０の下面１１に当接した状態で、ねじ１４によって固定され、空気調和機本体１の下面すなわち天井１２の開口部１２ａを覆うようになっている。取付金具１０の下面１１は、天井１２の下面と同一高さとなるように、吊りボルト２への空気調和機本体１の取り付け高さ位置が調整されている。つまり、各取付金具１０の下面１１は、化粧パネル８の高さ位置を規定する座面として機能する。そのため、各取付金具１０の下面１１には、この下面１１が天井１２の下面と同一高さにすべき面であることの表示である「天井下面に合わせる」の文字が直に刻印１３ａされた表示部１３がそれぞれ設けられている。
【００１２】
次に、本実施の形態１の天井埋込型空気調和機１００の据付手順について説明する。
まず、据付作業者は、吊り金具５を上下から挟むナット６と座金７を吊りボルト２に装着する。次いで、据付作業者は、吊りボルト２における上下の座金７の間の部分を、吊り金具５の切り欠き４を通して長穴３に挿入し、ナット６と座金７でスパナなどの工具を使って空気調和機本体１を吊りボルト２に固定する。その際、据付作業者には、取付金具１０の下面１１に文字が直に刻印１３ａされた表示部１３によって注意が喚起され、この下面１１が天井１２の下面と同一高さにすべき面であることが知らせられる。これによって、据付作業者による空気調和機本体１の吊り高さの正否の確認、つまり取付金具１０の下面１１が天井１２の下面と同一高さになっているか否かの確認が行われる。そして、取付金具１０の下面１１が天井１２の下面と同一高さになっていなければ、ナット６と座金７でスパナなどの工具を使って据付作業者による空気調和機本体１の高さの調整、つまり取付金具１０の下面１１の高さの調整が行われる。その後、据付作業者は、化粧パネル８を各取付金具１０の下面１１に当接させ、その状態で、化粧パネル８をねじ１４によって各取付金具１０に固定し、化粧パネル８によって空気調和機本体１の下面すなわち天井１２の開口部１２ａを覆う。
【００１３】
以上のように、本実施の形態１の天井埋込型空気調和機１００によれば、空気調和機本体１の下部の四隅に設けた取付金具１０の下面１１に、それぞれ天井１２の下面と同一高さにすべき面であることの表示である文字が直に刻印１３ａされた表示部１３を設けたので、据付作業者に、空気調和機本体１の吊り高さ、つまり取付金具１０の下面１１の高さの正否について、常に注意を喚起し、確認させることができる。このため、据付作業の効率が向上し、常に安定した据付作業やメンテナンス作業ができる。
【００１４】
また、本実施の形態１の天井埋込型空気調和機１００のように、表示部１３を取付金具１０の下面１１に直に刻印１３ａした文字で構成することで、表示部１３を取付金具１０の成型過程で作成することができる。
【００１５】
以上の実施の形態１では、空気調和機本体１の下部の四隅に、化粧パネル８を取り付ける取付金具１０を設置し、各取付金具１０の下面１１が天井１２の下面と同一高さにすべき面であることを表示する表示部１３を、各取付金具１０の下面１１に直に刻印１３ａした文字で構成したものを示したが、次に表示部を印刷シールで構成した例について説明する。
【００１６】
実施の形態２．
図４は本発明の実施の形態２に係る天井埋込型空気調和機の要部の拡大斜視図である。図５は本発明の実施の形態２に係る天井埋込型空気調和機の取付金具の下面図である。なお、各図中、前述の実施の形態１と同一部分には同一符号を付してある。また、説明にあたっては前述の図１を参照するものとする。
本実施の形態２の天井埋込型空気調和機１００は、図４及び図５に示すように、表示部が、取付金具１０の下面１１に貼り付けた印刷シール１５Ａで構成されている。
【００１７】
これを更に詳述すると、印刷シール１５Ａは、取付金具１０の下面１１の形状に合わせた形状を有しており、目立つ色（例えば黄色）に着色され、その一部に表示部１５ａが設けられている。表示部１５ａには、これが貼り付けられた取付金具１０の下面１１が天井１２の下面と同一高さにすべき面であることの表示である「天井下面に合わせる」の文字（例えば黒色の文字）が印刷１５ｂされている。
【００１８】
また、印刷シール１５Ａには、取付金具１０のねじ穴９に対応する部位にねじ挿通用の穴２０が設けられている。それ以外の構成は前述の実施の形態１と同様である。
【００１９】
本実施の形態２の天井埋込型空気調和機１００は、以上のように構成され、取付金具１０の下面１１に、表示部１５ａとなる印刷シール１５Ａを貼り付けるだけでよいため、文字を刻印する必要がなく、金型の製作が容易で、その分、コストを下げることができる。
【００２０】
また、印刷シール１５Ａは、目立つ色（例えば黄色）を選択し着色できるので、さらに注意が喚起され、取付金具１０の下面１１が天井１２の下面と同一高さにすべき面であることを強く訴えることができる。そのため、据付作業者に、空気調和機本体１の吊り高さ、つまり取付金具１０の下面１１の高さの正否について、常に注意を喚起し、確認させることができる。このため、据付作業の効率が向上し、常に安定した据付作業やメンテナンス作業ができる。
【００２１】
以上の実施の形態１，２では、空気調和機本体１の下部の四隅に、化粧パネル８を取り付ける取付金具１０を設置し、各取付金具１０の下面１１が天井１２の下面と同一高さにすべき面であることを表示する表示部１３を、刻印１３ａもしくは着色された印刷シール１５Ａで構成したものを示したが、次に印刷シールに取付金具１０の突起であるエッジ部の保護機能を持たせた例について説明する。
【００２２】
実施の形態３．
図６は本発明の実施の形態３に係る天井埋込型空気調和機の順送型により打ち抜かれた取付金具の展開図である。図７は本発明の実施の形態３に係る天井埋込型空気調和機の要部の拡大斜視図である。図８は本発明の実施の形態３に係る天井埋込型空気調和機の取付金具の下面図である。なお、各図中、前述の実施の形態２と同一部分には同一符号を付してある。また、説明にあたってはここでも前述の図１を参照するものとする。
本実施の形態３の天井埋込型空気調和機１００は、図６〜図８に示すように、取付金具１０が、順送型により打ち抜かれ、ブリッジ部１６で切り離されたものである。このため、取付金具１０の切り離し部分には、化粧パネル８が取り付けられる面と直角な面方向に突起すなわちブリッジ痕１７が残存する。また、表示部は、前述の実施の形態２と同様に、取付金具１０の下面１１に貼り付けた印刷シール１５Ｂで構成されている。
【００２３】
これを更に詳述すると、印刷シール１５Ｂは、基本的に取付金具１０の突起であるブリッジ痕１７を含む下面１１の形状に合わせた形状を備えているが、ブリッジ痕１７に対応する部位に、折り目１５ｄが付けられた延長部１５ｃが設けられている。延長部１５ｃは、取付金具１０の一方の面側（下面側）からブリッジ痕１７を覆って他方の面側（上面側）に折り返されている。
【００２４】
また、印刷シール１５Ｂは、目立つ色（例えば黄色）に着色され、その一部に表示部１５ａが設けられている。表示部１５ａには、これが貼り付けられた取付金具１０の下面１１が天井１２の下面と同一高さにすべき面であることの表示である「天井下面に合わせる」の文字（例えば黒色の文字）が印刷１５ｂされている。
【００２５】
また、印刷シール１５Ｂには、取付金具１０のねじ穴９に対応する部位にねじ挿通用の穴２０が設けられている。それ以外の構成は前述の実施の形態１と同様である。
【００２６】
本実施の形態３の天井埋込型空気調和機１００は、以上のように構成され、取付金具１０の下面１１に、表示部１５ａとなる印刷シール１５Ｂを貼り付け、延長部１５ｃを、取付金具１０の一方の面側（下面側）からブリッジ痕１７を覆って他方の面側（上面側）に折り返すだけでよいため、文字を刻印する必要がなく、金型の製作が容易で、その分、コストを下げることができる。
【００２７】
また、本実施の形態３においては、取付金具１０のブリッジ痕１７が印刷シール１５Ｂの延長部１５ｃにて覆われ保護されているので、組立作業者や据付作業者への安全を確保することができる。
【００２８】
また、本実施の形態３においては、印刷シール１５Ｂの延長部１５ｃに折り目１５ｄが付けられているので、延長部１５ｃの折り曲げ時のスプリングバックを抑えることができる。このため、印刷シール１５Ｂとして使用できる素材の選択肢を増やすことができる。
【００２９】
また、本実施の形態３においても、印刷シール１５Ｂは、目立つ色（例えば黄色）を選択し着色できるので、さらに注意が喚起され、取付金具１０の下面１１が天井１２の下面と同一高さにすべき面であることを強く訴えることができる。そのため、据付作業者に、空気調和機本体１の吊り高さ、つまり取付金具１０の下面１１の高さの正否について、常に注意を喚起し、確認させることができる。このため、据付作業の効率が向上し、常に安定した据付作業やメンテナンス作業ができる。
【符号の説明】
【００３０】
１  空気調和機本体、２  吊りボルト、３  長穴、４  切り欠き、５  吊り金具、６  ナット、７  座金、８  化粧パネル、９  ねじ穴、１０  取付金具、１１  下面、１２  天井、１２ａ  開口部、１３，１５ａ  表示部、１３ａ  刻印、１４  ねじ、１５Ａ，１５Ｂ  印刷シール、１５ｂ  印刷、１５ｃ  延長部、１５ｄ  折り目、１６  ブリッジ部、１７  ブリッジ痕（突起）、２０  穴、１００  天井埋込型空気調和機。
【図１】
0006358915.tif 000002
【図２】
0006358915.tif 000003
【図３】
0006358915.tif 000004
【図４】
0006358915.tif 000005
【図５】
0006358915.tif 000006
【図６】
0006358915.tif 000007
【図７】
0006358915.tif 000008
【図８】
0006358915.tif 000009